(57)【要約】【課題】  構造上スペース的に磁気回路部に更なる付加質量を増加することは困難である。【解決手段】  磁気回路部１は、ヨーク２と、ヨーク２の内部に順次積層される磁石３およびトップレート４から構成され、ヨーク２の側壁の内周部とトッププレート４の外周部との間に形成される空隙g内にボイスコイル5を配置する。磁気回路部1の外方でボイスコイル5を保持する振動板7と、振動伝達部のケース6に保持され、磁気回路部1を保持するサスペンション8と、ヨーク2の外周部に固定されたリング状の錘１１を備えた電気音響変換器で、磁気回路部１構成するヨーク２、磁石３およびトッププレート４のうち、少なくともヨーク２並びに磁石３の中心部に貫通孔１２を設け、貫通孔１２に調整用部材１３を配設する。調整用部材１３は高比重材料、例えば、鉄またはタングステン合金、高比重接着剤を用いる。共振周波数の調整ができ、振動特性の安定化が図られる。【選択図】  図１
2008288635.tif 000002
【特許請求の範囲】
【請求項１】
碗形状をしたヨークと、該ヨークの内部に順次積層される板状の磁石およびトップレートから構成される磁気回路部と、該磁気回路部のヨークの側壁の内周部とトッププレートの外周部との間に形成される空隙内に配置されるボイスコイルと、前記磁気回路部の外方でボイスコイルを保持する振動板と、振動伝達部のケースに保持され、前記磁気回路部を保持するサスペンションと、前記ヨークの外周部に固定されたリング状の錘を備えた電気音響変換器において、前記磁気回路部の中心部に貫通孔を設け、該貫通孔に調整用部材を配設したことを特徴とする電気音響変換器。
【請求項２】
前記磁気回路部を構成するヨーク、磁石およびトッププレートのうち、少なくともヨーク並びに磁石に貫通孔を設け、該貫通孔に調整用部材を配設したことを特徴とする電気音響変換器。
【請求項３】
前記磁気回路部の中心部に配設した調整用部材は、高比重材料からなることを特徴とする請求項１または２記載の電気音響変換器
【請求項４】
前記高比重材料は、鉄またはタングステン合金を用いてなることを特徴とする請求項３記載の電気音響変換器
【請求項５】
前記高比重材料は、高比重接着剤を用いてなることを特徴とする請求項３記載の電気音響変換器。
【発明の詳細な説明】
【技術分野】
【０００１】
本発明は、携帯電話やＰＤＡなどの移動通信機器に組み込まれ、パネルや電話機の筐体等を振動させることにより、着信を知らせる電気音響変換器に関する。
【背景技術】
【０００２】
従来、携帯電話やＰＤＡなどの移動通信機器には、使用者に着信を知らせるのに、ブザー音やメロディ音を発生したり、音を出さずに機器の筐体を振動させるように切り替えて使用するように構成されている。そのために、小型スピーカに類する音響発生用のスピーカと、偏心重りを小型モータで回転させて振動を発生する振動体を合わせて内蔵する構造が取られてきた。しかし、このようにスピーカと振動体との両方を組込むことは機器の小型化や低価格化の上で不利であった。そこで、近年１個のもので音響と振動の両方を発生させる磁気駆動型アクチュエータである多機能振動アクチュエータ（振動体）が用いられるようになっている。（例えば、特許文献１参照）
【０００３】
【特許文献１】特開２００３−２５１２７８号（第３、４頁、図１〜図３）
【０００４】
上記した特許文献１に開示されている多機能振動アクチュエータの構造は、図２で示されるように、ケース（振動伝達部）２１は筒状側壁部２１aを有するプラスチック樹脂で成形されている。振動板２２は音響出力用のものであり、ケース２１に周縁部を固着され、ボイスコイル２３が一体化されている。円筒状の永久磁石２４は、円筒の軸方向に磁化され、高透磁率材料よりなる円筒型カップ状のヨーク２５の中心部に固着されている。トッププレート２６は高透磁率材料よりなる磁極片で、永久磁石２４の上面に積層・固着されている。
【０００５】
前記永久磁石２４、トッププレート２６及びヨーク２５で磁気回路部２７を構成する。ヨーク２５にはサスペンション２８が固着されている。サスペンション２８はヨーク２５の外側に向かって延びる複数の腕部を有し、この腕部の外端はケース２１にインサートモールドなどにより固着されている。従って、磁気回路部２７はサスペンション２８の腕状部に弾性的に懸架され、一体となって軸方向に振動することができる。上カバー２９は前記ケース２１の上部に取着され、背面カバー３０は下面に取着されている。
【０００６】
前記ヨーク２５の外周のリング状の部分は付加質量（錘）３１で、磁気回路部２７の主要部の外側を占め、ここで付加質量３１は、鉄やタングステン合金などの高比重の磁性材料によりヨーク２５に一体的に結合固定されている。可動部となる磁気回路部２７の質量を大きくすることにより、漏洩磁束の発生を抑制できてアクチュエータ全体の厚みを縮小化した上で大きな振動を発生することができる。
【０００７】
前記永久磁石２４が生成する磁束はトッププレート２６の周囲側面とヨーク２５のカップ状の上端付近に集中され、強力な磁界が形成される。この磁気ギャップg内にボイスコイル２３が挿入されており、ボイスコイル２３に音響周波数の信号電流が流れると振動板２２が振動し音響を発する。
【発明の開示】
【発明が解決しようとする課題】
【０００８】
解決しようとする問題点としては、上記した特許文献１に開示した多機能振動アクチュエータの構造において、機械振動系に主として寄与する磁気回路部を構成するヨークの外周部に配備される錘を高比重の磁性体材料からなる部材にして可動部の磁気回路部の質量を大きくすることにより、漏洩磁束の発生を抑制できると共に、大きな振動を得ることができるので、磁気回路部の厚さ方向における可動変位を小さくできる分、アクチュエータ全体が小型化（特に薄型化）される。今後、小型化、薄型化が要求される電話などの移動体通信機器へのアクチュエータの搭載に際して、上記した構造上スペース的に磁気回路部に更なる付加質量を増加することは困難である。などの問題があった。
【０００９】
本発明は、上述の欠点を解消するもので、その目的は、磁気回路部の中心部に貫通孔を設け、該貫通孔に付加質量として調整用部材を配設して、振動特性の安定化を図り、薄型で信頼性に優れた電気音響変換器を提供するものである。
【課題を解決するための手段】
【００１０】
上記目的を達成するために、本発明における電気音響変換器は、碗形状をしたヨークと、該ヨークの内部に順次積層される板状の磁石およびトップレートから構成される磁気回路部と、該磁気回路部のヨークの側壁の内周部とトッププレートの外周部との間に形成される空隙内に配置されるボイスコイルと、前記磁気回路部の外方でボイスコイルを保持する振動板と、振動伝達部のケースに保持され、前記磁気回路部を保持するサスペンションと、前記ヨークの外周部に固定されたリング状の重りを備えた電気音響変換器において、前記磁気回路部の中心部に貫通孔を設け、該貫通孔に調整用部材を配設したことを特徴とするものである。
【００１１】
また、前記磁気回路部を構成するヨーク、磁石およびトッププレートのうち、少なくともヨーク並びに磁石に貫通孔を設け、該貫通孔に調整用部材を配設したことを特徴とするものである。
【００１２】
また、前記磁気回路部の中心部に配設した調整用部材は、高比重材料からなることを特徴とするものである。
【００１３】
また、前記高比重材料は、鉄またはタングステン合金を用いてなることを特徴とする特徴とするものである。
【００１４】
また、前記高比重材料は、高比重接着剤を用いてなることを特徴とするものである。
【発明の効果】
【００１５】
本発明の電気音響変換器は、磁気回路部の中心部に調整用部材を配設して、振動特性の安定化が図られ、信頼性に優れ薄型の電気音響変換器を提供することが可能である。
【発明を実施するための最良の形態】
【００１６】
本発明の電気音響変換器について、図面に基づいて説明する。
【実施例】
【００１７】
図１は、本発明の実施例に係わる電気音響変換器の断面図である。図１において、従来例と同様に、この振動体の磁気回路部１は、略碗形状をしたヨーク２と、該ヨーク２の内部に順次積み重ねられる平板状の磁石３およびトップレート４から構成される。そして、この磁気回路部１と、ヨーク２の側壁の内周部と平板状のトッププレート４の外周部との間に形成される空隙（ギャップ）ｇ内にボイスコイル５を配設する。該ボイスコイル５は前記磁気回路部１の外方で金属部材よりなるケース６の上方において、薄い平板状の振動板７に固定されている。
【００１８】
前記磁気回路部１を構成するヨーク２にはサスペンション８が固着されている。サスペンション８はヨーク２の外側に向かって延びる複数の腕部を有し、この腕部の外端はケース６にインサートモールドなどにより固着されている。従って、磁気回路部１はサスペンション８の腕状部に弾性的に懸架され、一体となって軸方向に振動することができる。上カバー９は前記ケース６の上部に取着され、背面カバー１０は下面に取着されている。
【００１９】
前記ヨーク２の外周のリング状の部分は付加質量１１で、磁気回路部１の主要部の外側を占め、ここで付加質量１１は、鉄やタングステン合金などの高比重の磁性材料によりヨーク２に一体的に結合固定されている。可動部となる磁気回路部１の質量を大きくすることにより、漏洩磁束の発生を抑制できてアクチュエータ全体の厚みを縮小化した上で大きな振動を発生することができる。
【００２０】
本実施例の特徴とするところは、図１に示すように、前記磁気回路部１の中心部において、例えば、ヨーク２、磁石３およびトッププレート４のうち、少なくともヨーク２並びに磁石３に貫通孔１２を設ける。該貫通孔１２に調整用部材１３を配設したことである。該貫通孔１２に配設する調整用部材１３は、高比重材料、例えば、鉄またはタングステン合金を用いる。高比重接着剤を充填しても良い。高比重接着剤とは、エポキシ・シリコン系接着剤に比較して比重が２．１９と高いものである。
【００２１】
前記磁気回路部１の中心部に設ける貫通孔１２は、上記した以外に、ヨーク２のみ、または、ヨーク２、磁石３、トッププレート４の全ての部材に設けても良いことは言うまでもない。
【００２２】
以上述べた構成の電気音響変換器の作用・効果について説明する。本発明の電気音響変換器によれば、機械振動系に主に寄与する磁気回路部の中心部に、高比重材料からなる調整用部材を配設することにより、サスペンション構造で存在する共振周波数の調整が可能になる。使用する調整用部材の材質および量により、共振周波数を下げると同時に、共振周波数のバラツキを少なくして、振動特性の安定化を図り、信頼性に優れ薄型の電気音響変換器を提供することが可能である。
【図面の簡単な説明】
【００２３】
【図１】本発明の実施例に係わる電気音響変換器の断面図である。
【図２】従来の多機能振動アクチュエータの断面図である。
【符号の説明】
【００２４】
１  磁気回路部
２  ヨーク
３  磁石
４  トップレート
５  ボイスコイル
６  ケース
７  振動板
８  サスペンション
９  上カバー
１０  背面カバー
１１  錘（ヨーク外周部）
１２  貫通孔
１３  調整用部材
【図１】
2008288635.tif 000003
【図２】
2008288635.tif 000004